【手続補正書】
【提出日】平成28年7月27日(2016.7.27)
【手続補正１】
【補正対象書類名】特許請求の範囲
【補正対象項目名】全文
【補正方法】変更
【補正の内容】
【特許請求の範囲】
【請求項１】
端末によって送受信されるデータを転送する通信システムであって、
前記端末と無線によって通信する基地局と、
前記端末にサービスを提供するサーバと、
前記基地局と前記サーバとの間の通信を制御するプロキシ装置と、
前記基地局が収容する通信が混雑しているか否かを判定するための情報を取得する制御装置と、を備え、
前記制御装置は、
前記取得した情報に基づいて、前記基地局が収容する通信が混雑しているか否かを判定し、
前記混雑していると判定された基地局に収容される端末を、前記プロキシ装置が通信を制御する端末として特定し、
前記プロキシ装置は、
前記データが受信側に到達したか否かを示す応答確認を行うプロトコルを用いて、前記基地局とサーバとの間の通信を制御し、
前記特定された端末による通信が廃棄される廃棄率を、前記プロトコルで用いる応答確認パケットを利用して算出し、
前記算出された廃棄率分低減された送信帯域によって、前記特定された端末による通信を中継し、
送信されたパケットの数ｓｎｄと、前記送信されたパケットが受信側に到達したことを示す応答確認パケットの数ａｃｋと、前記送信されたパケットの再送が要求されたパケットの数ｒｔｓと、前記応答確認パケットに付随し、かつ、受信側におけるパケットの不連続部分の始端と終端とを示す選択的応答パケットにおいて、前記応答確認パケットが保持する値が直前に受信した選択的応答パケットの保持する値と同じである場合の前記選択的応答パケットの数ｓａｃｋ．ｄｕｐと、を前記プロトコルを用いて取得し、
ｓｎｄ＞ａｃｋ＋ｒｔｓである場合、ｒｔｓ／ｓｎｄを、前記廃棄率として算出し、
ｓｎｄ＜＝ａｃｋ＋ｒｔｓである場合、１−（ａｃｋ−ｓａｃｋ．ｄｕｐ）／ｓｎｄを、前記廃棄率として算出することを特徴とする通信システム。
【請求項２】
請求項１に記載の通信システムであって、
前記制御装置は、
前記基地局が収容する通信が混雑しているか否かを判定するための情報として、経路におけるベアラの情報を取得し、
前記取得したベアラの情報に基づいて、前記基地局が収容するベアラ数を算出し、
前記算出されたベアラ数が所定の閾値を超える場合、前記基地局が収容する通信が混雑していると判定することを特徴とする通信システム。
【請求項３】
請求項１に記載の通信システムであって、
前記制御装置は、
前記基地局が収容する通信が混雑しているか否かを判定するための情報として、経路において前記基地局が用いる帯域を取得し、
前記取得した帯域が所定の閾値を超える場合、前記基地局が収容する通信が混雑していると判定することを特徴とする通信システム。
【請求項４】
請求項１に記載の通信システムであって、
前記制御装置は、
前記プロキシ装置によって通信を制御される端末を示す端末情報を保持し、
前記取得した情報と、前記端末情報とに基づいて、前記プロキシ装置が通信を制御する前記端末を特定し、
前記端末情報が、前記送信帯域の上限値を含む場合、
前記制御装置は、前記特定された端末を示す識別子と、前記特定された端末の送信帯域の上限値と、を前記プロキシ装置に設定し、
前記プロキシ装置は、前記算出された廃棄率分低減された送信帯域が、前記制御装置が設定した上限値を超える場合、前記制御装置が設定した上限値によって、前記特定された端末による通信を中継することを特徴とする通信システム。
【請求項５】
請求項４に記載の通信システムであって、
前記制御装置は、
前記端末におけるＳ／Ｎ比を取得し、
前記特定された端末の前記Ｓ／Ｎ比が所定の閾値よりも低く、かつ、前記端末情報が送信帯域の上限値を含む場合、前記端末情報が含む前記特定された端末の上限値を所定の割合減じた値を、前記プロキシ装置に設定する上限値に決定することを特徴とする通信システム。
【請求項６】
請求項４に記載の通信システムであって、
前記通信システムは、前記基地局と前記サーバとの間に設置されるゲートウェイを有し、
前記制御装置は、
前記ゲートウェイにおける回線の利用率を取得し、
前記取得したゲートウェイにおける回線の利用率に基づいて、前記プロキシ装置が通信を制御する端末を特定し、
前記端末情報が送信帯域の上限値を含む場合、前記ゲートウェイにおける回線の利用率に基づいて特定された端末の通信を制御するため、前記端末情報が含む前記特定された端末の送信帯域の上限値を所定の割合減じた値を、前記プロキシ装置に設定する上限値に決定することを特徴とする通信システム。
【請求項７】
請求項１に記載の通信システムであって、
前記制御装置は、
前記プロキシ装置によって通信が制御されるサービスを示すサービス情報を保持し、
前記特定された端末を示す識別子と、前記サービス情報とを前記プロキシ装置に設定し、
前記プロキシ装置は、
前記特定された端末による通信のうち、前記サービス情報が示すサービスによる通信を抽出し、
前記算出された廃棄率分低減された送信帯域によって、前記抽出された通信を中継することを特徴とする通信システム。
【請求項８】
請求項７に記載の通信システムであって、
前記サービス情報は、前記送信帯域の上限値を含み、
前記プロキシ装置は、前記算出された廃棄率分低減された送信帯域が、前記サービス情報が示す上限値を超える場合、前記サービス情報が示す上限値によって、前記抽出された通信を中継することを特徴とする通信システム。
【請求項９】
請求項１に記載の通信システムであって、
前記通信システムは、前記基地局と前記サーバとの間に設置されるゲートウェイを有し、
前記プロキシ装置は、前記ゲートウェイとネットワークインタフェースを介して接続され、
前記ゲートウェイは、
前記特定された端末を示す識別子を、前記制御装置から受信し、
前記受信した識別子に基づいて、前記特定された端末による通信を前記プロキシ装置に転送することを特徴とする通信システム。
【請求項１０】
請求項１に記載の通信システムであって、
前記通信システムは、前記基地局と前記サーバとの間に設置されるゲートウェイを有し、
前記プロキシ装置は、前記ゲートウェイに備わり、
前記ゲートウェイは、
前記特定された端末を示す識別子を、前記制御装置から受信し、
前記受信した識別子に基づいて、前記特定された端末による通信を前記プロキシ装置に転送することを特徴とする通信システム。
【請求項１１】
請求項１に記載の通信システムであって、
前記通信システムは、前記基地局と前記サーバとを接続する公衆データ網と、前記公衆データ網と前記基地局との間に設置されるゲートウェイを有し、
前記プロキシ装置は、前記ゲートウェイと前記公衆データ網との間に設置されることを特徴とする通信システム。
【請求項１２】
請求項１に記載の通信システムであって、
前記通信システムは、前記基地局と前記サーバとを接続する公衆データ網と、前記サーバが設置されるデータセンタとを有し、
前記プロキシ装置は、前記公衆データ網と前記データセンタとの間、又は、前記データセンタに設置されることを特徴とする通信システム。
【請求項１３】
端末によって送受信されるデータを転送する通信システムによる制御方法であって、
前記通信システムは、
前記端末と無線によって通信する基地局と、
前記端末にサービスを提供するサーバと、
前記基地局と前記サーバとの間の通信を制御するプロキシ装置と、
前記基地局が収容する通信が混雑しているか否かを判定するための情報を取得する制御装置と、を備え、
前記制御装置は、第１のプロセッサを有し、
前記プロキシ装置は、第２のプロセッサを有し、
前記制御方法は、
前記第１のプロセッサが、前記取得された情報に基づいて、前記基地局が収容する通信が混雑しているか否かを判定する手順と、
前記第１のプロセッサが、前記混雑していると判定された基地局に収容される端末を、前記プロキシ装置が通信を制御する端末として特定する手順と、
前記第２のプロセッサが、前記データが受信側に到達したか否かを示す応答確認を行うプロトコルを用いて、前記基地局とサーバとの間の通信を制御する手順と、
前記第２のプロセッサが、前記特定された端末による通信が廃棄される廃棄率を、前記プロトコルで用いる応答確認パケットを利用して算出する手順と、
前記第２のプロセッサが、前記算出された廃棄率分低減された送信帯域によって、前記特定された端末による通信を中継する手順と、
前記第２のプロセッサが、送信されたパケットの数ｓｎｄと、前記送信されたパケットが受信側に到達したことを示す応答確認パケットの数ａｃｋと、前記送信されたパケットの再送が要求されたパケットの数ｒｔｓと、前記応答確認パケットに付随し、かつ、受信側におけるパケットの不連続部分の始端と終端とを示す選択的応答パケットにおいて、前記応答確認パケットが保持する値が直前に受信した選択的応答パケットの保持する値と同じである場合の前記選択的応答パケットの数ｓａｃｋ．ｄｕｐと、を前記プロトコルを用いて取得する手順と、
前記第２のプロセッサが、ｓｎｄ＞ａｃｋ＋ｒｔｓである場合、ｒｔｓ／ｓｎｄを、前記廃棄率として算出する手順と、
前記第２のプロセッサが、ｓｎｄ＜＝ａｃｋ＋ｒｔｓである場合、１−（ａｃｋ−ｓａｃｋ．ｄｕｐ）／ｓｎｄを、前記廃棄率として算出する手順と、を含むことを特徴とする制御方法。
【請求項１４】
端末によって送受信されるデータを転送する通信システムに備わる制御装置であって、
前記通信システムは、
前記端末と無線によって通信する基地局と、
前記端末にサービスを提供するサーバと、
前記基地局と前記サーバとの間の通信を制御するプロキシ装置と、を備え、
前記制御装置は、
前記基地局が収容する通信が混雑しているか否かを判定するための情報を取得し、
前記取得した情報に基づいて、前記基地局が収容する通信が混雑しているか否かを判定し、
前記混雑していると判定された基地局に収容される端末を、前記プロキシ装置が通信を制御する端末として特定し、
前記プロキシ装置は、
前記データが受信側に到達したか否かを示す応答確認を行うプロトコルを用いて、前記基地局とサーバとの間の通信を制御し、
前記特定された端末による通信が廃棄される廃棄率を、前記プロトコルで用いる応答確認パケットを利用して算出し、
前記算出された廃棄率分低減された送信帯域によって、前記特定された端末による通信を中継し、
送信されたパケットの数ｓｎｄと、前記送信されたパケットが受信側に到達したことを示す応答確認パケットの数ａｃｋと、前記送信されたパケットの再送が要求されたパケットの数ｒｔｓと、前記応答確認パケットに付随し、かつ、受信側におけるパケットの不連続部分の始端と終端とを示す選択的応答パケットにおいて、前記応答確認パケットが保持する値が直前に受信した選択的応答パケットの保持する値と同じである場合の前記選択的応答パケットの数ｓａｃｋ．ｄｕｐと、を前記プロトコルを用いて取得し、
ｓｎｄ＞ａｃｋ＋ｒｔｓである場合、ｒｔｓ／ｓｎｄを、前記廃棄率として算出し、
ｓｎｄ＜＝ａｃｋ＋ｒｔｓである場合、１−（ａｃｋ−ｓａｃｋ．ｄｕｐ）／ｓｎｄを、前記廃棄率として算出することを特徴とする制御装置。